(57)【要約】  本発明は、液体を収容する医療用パッケージのコネクタに関する。コネクタは、上記医療用パッケージの容器のための接続ピースとセプタムによって閉鎖される通路とを有する下部セクションと、セプタムを覆っており、破断して取り外すことができるキャップが設けられる上部セクションとを有する。上記セプタムは、上面において、スパイク及び／又は針のための隆起部の形態の複数の接続部を有する。【選択図】図４
2019530526.tif 000002
【特許請求の範囲】
【請求項１】
液体を収容する医療用パッケージ（２０）のコネクタ（１）であって、
前記医療用パッケージ（２０）の容器（２１）のための接続ピース（４）と通路（８）とを有する下側部品（２）と、
前記下側部品（２）の前記通路（８）を閉鎖するセプタム（６）と、また、
前記下側部品（２）の上に配置される上側部品（３）であって、該上側部品（３）にはキャップ（５）が設けられており、該キャップ（５）は、前記セプタム（６）を覆っており、破断して取り外すことができる、上側部品（３）と、
を備え、前記セプタム（６）は、上面（１１）において、スパイク及び／又は針のための隆起部として構成される複数のポート（１２ａ〜１２ｃ）を有することを特徴とする、コネクタ。
【請求項２】
請求項１に記載のコネクタ（１）であって、前記キャップ（５）が破断されて取り外された後、前記セプタム（６）の上面（１１）は、前記ポート（１２ａ〜１２ｃ）を払拭するためにアクセス可能であることを特徴とする、コネクタ。
【請求項３】
請求項１又は２に記載のコネクタ（１）であって、前記セプタム（６）の上面（１１）は、前記キャップ（５）のための隣接する所定の破断ライン（１０）と実質的に面一であること、又は、前記セプタム（６）の上面（１１）は、前記キャップ（５）のための隣接する所定の破断ライン（１０）の上方に突出することを特徴とする、コネクタ。
【請求項４】
請求項１〜３のいずれか１項に記載のコネクタ（１）であって、前記キャップ（５）と前記セプタム（６）との間に存在する間隙部（１９）が、前記キャップ（５）によって気密にシールされ、好ましくは無菌状態で使用可能であるように作製されることを特徴とする、コネクタ。
【請求項５】
請求項１〜４のいずれか１項に記載のコネクタ（１）であって、前記セプタム（６）の前記上面（１１）における前記ポート（１２ａ〜１２ｃ）は、ドーム状の隆起部として構成されることを特徴とする、コネクタ。
【請求項６】
請求項１〜５のいずれか１項に記載のコネクタ（１）であって、前記ポート（１２ａ〜１２ｃ）は、少なくとも部分的にスリットであること、及び／又は、リング（１３）が前記ポート（１２ａ〜１２ｃ）の少なくとも一部の周囲に延在することを特徴とする、コネクタ。
【請求項７】
請求項１〜６のいずれか１項に記載のコネクタ（１）であって、該コネクタ（１）の前記下側部品（２）における前記通路（８）の断面は、前記セプタム（６）から前記接続ピース（４）の方向に少なくとも部分的に先細りになっていることを特徴とする、コネクタ。
【請求項８】
請求項１〜７のいずれか１項に記載のコネクタ（１）であって、前記下側部品（２）の前記接続ピース（４）は、実質的に船形であることを特徴とする、コネクタ。
【請求項９】
請求項１〜８のいずれか１項に記載のコネクタ（１）であって、前記キャップ（５）が破断されて取り外された後、前記セプタム（６）は、１０ｍｍを超える、好ましくは１２ｍｍを超えるアクセス可能な直径を有することを特徴とする、コネクタ。
【請求項１０】
請求項１〜９のいずれか１項に記載のコネクタ（１）であって、前記セプタム（６）は、前記コネクタ（１）の前記上側部品（３）と前記下側部品（２）との間に固定される形状嵌合要素（９）を備えることを特徴とする、コネクタ。
【請求項１１】
請求項１〜１０のいずれか１項に記載のコネクタ（１）であって、前記セプタム（６）の下面は、前記ポート（１２ａ〜１２ｃ）の下に配置される筒状ガイド（１５ａ〜１５ｃ）を有することを特徴とする、コネクタ。
【請求項１２】
請求項１０又は１１に記載のコネクタ（１）であって、筒状ガイド（１５ａ〜１５ｃ）の下面（１６）は、前記形状嵌合要素（９）の下面（２５）よりも低いことを特徴とする、コネクタ。
【請求項１３】
請求項１０〜１２のいずれか１項に記載のコネクタ（１）であって、筒状ガイド（１５ａ〜１５ｃ）の前記下面（１６）は、前記形状嵌合要素（９）に対して内側に位置する前記セプタム（６）の環状部（２７）の下面と面一に交わることを特徴とする、コネクタ。
【請求項１４】
容器（２１）を備える医療用パッケージ（２０）であって、前記容器（２１）は、特に輸液バッグ、輸血バッグ若しくは経腸バッグ、又は医療用液体を収容するボトルとして構成され、請求項１〜１３のいずれか１項に記載のコネクタ（１）を備える、医療用パッケージ。
【請求項１５】
破断して取り外すことができるキャップ（５）によって閉鎖される、請求項１〜１３のいずれか１項に記載のコネクタ（１）のセプタム（６）、及び／又は、請求項１４に記載の医療用パッケージ（２０）の容器（２１）のセプタム（６）であって、該セプタム（６）は、スパイク及び／又は針のための複数のポート（１２ａ〜１２ｃ）を有し、該複数のポート（１２ａ〜１２ｃ）は、隆起部、好ましくはドーム状の隆起部として構成される、セプタム。
【発明の詳細な説明】
【技術分野】
【０００１】
本発明は、液体を収容する医療用パッケージのコネクタに関する。本発明は、特に、セプタムを備え、医療用液体を収容するバッグに接続可能であるか又は接続されるコネクタに関する。
【背景技術】
【０００２】
医療用パッケージの充填又は内容物の排出のためのセプタムを備えるコネクタは、既知である。特に、セプタムを伴うコネクタを備える輸液バッグ、輸血バッグ、又は経腸バッグが存在し、そのセプタムは、スパイク又は針によって穿孔することができる。例えば、針を備えるシリンジによって、活性物質をバッグに送り込むことができる。スパイクに接続されたチューブによって、バッグの内容物を排出することができる。
【０００３】
特許文献１（Fresenius Kabi Deutschland GmbH）は、医療用パッケージを開示している。１つの実施形態において、医療用液体のバッグは、２つのコネクタを備える。１つのコネクタは、例えば、活性物質の注入のために設けられる。更なるコネクタは、バッグの内容物の抜取りのために設けられる。コネクタは、セプタムをそれぞれ備え、セプタムは、破断して取り外すことができるキャップによって覆われる。
【先行技術文献】
【特許文献】
【０００４】
【特許文献１】国際公開第２００４／０８４７９３号
【発明の概要】
【発明が解決しようとする課題】
【０００５】
この背景に対して、本発明の目的は、より柔軟に使用することができるコネクタを使用可能にすることである。
【課題を解決するための手段】
【０００６】
本発明の目的は、請求項１に記載のコネクタ、コネクタが設けられている請求項１４に記載の医療用パッケージ、及び、請求項１５に記載のセプタムによって達成される。
【０００７】
本発明の好ましい実施形態及び発展形態は、従属請求項の主題、詳細な説明及び図面から見出すことができる。
【０００８】
本発明は、第一に、液体を収容する医療用パッケージのコネクタに関する。
【０００９】
医療用パッケージは、医療用液体が収容される容器を備える。コネクタは、特に、容器の充填、液体（例えば、活性物質）の送込み若しくは補充、及び／又は容器の内容物の排出に役立つ。パッケージの容器は、特に、バッグ又はボトルとして、例えばプラスチックボトルとして構成される。
【００１０】
コネクタは、医療用パッケージの容器のための接続ピースと通路とを有する下側部品を備える。下側部品は、特に、少なくとも部分的にチューブ状であり、接続ピースを介して容器に接続され、好ましくは接着又は溶着される。液体は、通路を通ってコネクタに進入することができる。
【００１１】
１つの実施形態において、下側部品の接続ピースは、実質的に船形である。このようにして、バッグとして構成される容器との流体密封された機械的に安定な接続をもたらすことが可能である。
【００１２】
通路は、セプタムによって閉鎖される。セプタムは、自動的に閉鎖する再閉鎖可能なエラストマー部材として理解され、液体の抜取り又は送込みのためにスパイク及び／又はまた針を用いて穿孔することができる。スパイク及び／又は針を抜き取った後、セプタムは単独で閉鎖する。
【００１３】
例えば、エラストマー材料として、ポリイソプレンを使用することができる。
【００１４】
コネクタは、キャップが設けられている上側部品を更に備え、キャップは、セプタムを覆っており、破断して取り外すことができる。したがって、セプタムは、キャップが破断されて取り外された後にのみアクセス可能である。キャップは、コネクタが既に使用されたか否かを判断することを容易にする。また、セプタムは、キャップによって無菌に維持することができる。
【００１５】
キャップは、例えば、一部が平坦な把持ピースとして構成することができる。
【００１６】
上側部品及び下側部品は、射出成形部品として構成されることが好ましい。上側部品は、下側部品の上に配置されることが好ましい。
【００１７】
特に、上側部品と下側部品とは、形状嵌合接続部によって互いに接続される。本発明の１つの実施形態において、上側部品は、下側部品の上に押し込むことができる。代替的又は補助的な実施形態において、上側部品と下側部品とは、密着して接続され、特に、溶着又は接着される。本発明の更なる一実施形態において、上側部品と下側部品とは、１ピースとして構成される。言及するまでもないが、本発明の意味において、通路は、上側部品を部分的に貫通することもできる。
【００１８】
キャップは、上側部品とともに１ピースにして構成されることが好ましく、この場合、特に、キャップと上側部品との間における環状の材料厚減少部によって、所定の破断ラインが形成される。上側部品は、特に、キャップを受ける役割を果たす。
【００１９】
また、本発明の１つの実施形態に関して提示されるように、セプタムは、上側部品と下側部品との間で形状嵌合部によって包囲することができる。
【００２０】
本発明によれば、セプタムは、スパイク及び／又は針のための複数のポートを有する。ポートは、スパイクによる穿孔に適合するように構成され、特に液体の抜取りに適合するように構成される。しかしながら、ポートは、針によって穿孔することもできる。ポートは、セプタムの上面における隆起部として構成されることが好ましい。
【００２１】
複数のポートが存在するので、コネクタは、より柔軟に使用することができる。特に、コネクタは、液体の送込み及びまた液体の抜取りの両方のために使用することができる。本発明の１つの実施形態に関して提示されるように、パッケージにおける第２のコネクタを省くことも可能である。
【００２２】
また、複数のポートがあることにより、同じポートを何回も使用することを必要とせずに、１つのスパイク又は複数のスパイクを用いて複数回の抜取りが可能になる。
【００２３】
特に、セプタムは、少なくとも３つのポートを有する。１つの実施形態において、セプタムは、スパイクのための少なくとも３つのポートを有する。スパイクのためのポートは、第１のガイドを備えることが好ましく、第１のガイドは、例えば、１つのスリット又は互いに交差する２つのスリットとして構成される。スリットは、スパイクの挿入を容易にする又は許容する。
【００２４】
本発明の発展形態において、セプタムの上面は、ポートを有する面であり、キャップが破断されて取り外された後、ポートを払拭するためにアクセス可能である。
【００２５】
このために、セプタムは、払拭を阻むほど深い窪みを有しないことが好ましい。また、上側部品の隣接する縁部は、セプタムの隣接する上面よりも最大でも僅かに高い、特に最大でも１ｍｍ高い位置にあるべきである。
【００２６】
セプタムの上面は、キャップのための隣接する所定の破断ラインと実質的に面一であるか、又は、セプタムの上面は、隣接する所定の破断ラインの上方に突出することが好ましい。
【００２７】
したがって、セプタムのポートは、ポートの好ましくは無菌の状態にも関わらず、規定に応じて、容易に払拭して清浄にすることができる。
【００２８】
ポートの最高地点は、セプタムに隣接するキャップの上面の最大でも１ｍｍ下方までに位置することが好ましい。特に、ポートの最高地点は、キャップの隣接する上面とともに１つの平面上に位置するか、又は該平面よりも上方に位置する。
【００２９】
本発明の１つの実施形態において、ポートは、上面において、好ましくはドーム状の隆起部として構成される。したがって、ポートは、特に、行われ得る払拭によるポートの殺菌のために、より容易にアクセス可能である。また、ポートは、穿刺場所の少なくとも一部の周囲に延在するリング、又は特に溝若しくはウェブとして構成されるリング部を備えることができる。このようにして、ユーザーが穿刺場所をよりよく視認することができる。特に、横スリットと組み合わせると、穿刺場所を更によく視認することができる。
【００３０】
本発明の好ましい一実施形態において、キャップとセプタムとの間の間隙部は、キャップによって気密にシールされる。したがって、セプタムは、無菌化されるか又は無菌状態で使用可能であるように作製することができ、コネクタが設けられているパッケージの操作時も無菌のままである。気密シールは、特に、上側部品とキャップとの間の開口部の無い所定の破断ラインによって提供することができる。
【００３１】
本発明の発展形態において、通路の断面は、セプタムから接続ピースの方向に少なくとも部分的に先細りになっている。特に、内径及び／又は外径、好ましくは内径及び外径の両方は、接続ピースの方向に先細りになっている。
【００３２】
したがって、複数のポート、特に、それぞれの１つのスパイクのための複数のポートに十分な大きさのコネクタを使用可能にすることが容易である。
【００３３】
キャップが破断されて取り外された後、セプタムは、好ましくは１０ｍｍを超える、特に好ましくは１２ｍｍを超えるアクセス可能な直径を有する。円筒ではない形状の場合、これは、最大の直径として理解される。
【００３４】
本発明の１つの実施形態において、セプタムは、形状嵌合要素によって上側部品と下側部品との間に固定される。特に、セプタムを縁部において径方向に固定する形状嵌合要素が設けられる。この形状嵌合要素は、縁部における周囲ウェブとすることができる。特に、セプタムは、縁部において周囲にわたるＴ字状の形状嵌合要素を備える。径方向において形状嵌合するため、セプタムは、力の作用によって軸方向に押し出される可能性がない。
【００３５】
本発明の更なる一実施形態において、セプタムの下面は、筒状ガイドを備え、筒状ガイドは、それぞれのポートの下にそれぞれ配置される。筒状ガイドは、特に、それぞれのスパイクのガイドとして、好ましくは第２のガイドとしての役割を果たす。筒状ガイドの下面は、特に、形状嵌合要素の下面よりも低い。このようにして、スパイクの向上した誘導を達成することができる。筒状ガイドの下面は、セプタムの最下領域を形成することができる。１つの実施形態において、筒状ガイドの下面は、形状嵌合要素に対して内側に位置するセプタムの環状部の下面と面一に交わる。この環状部は、コネクタにおける通路の内面に当接することができ、そうすることにより、セプタムの向上した位置決めを提供することができる。
【００３６】
本発明は、液体の容器を備える医療用パッケージであって、特に、輸液バッグ、輸血バッグ若しくは経腸バッグとして、又は、医療用液体を収容するボトルとして構成される医療用パッケージに更に関する。医療用パッケージは、接続ピースを介して医療用パッケージの容器に接続される、上述したコネクタのうちの少なくとも１つの実施形態を備える。特に、接続ピースは、特にバッグ又はボトルとして構成される容器に接着又は溶着される。
【００３７】
また、本発明の範囲には、上述したコネクタ及び／又は上述したパッケージの一実施形態のためのセプタムも包含される。セプタムは、スパイク及び／又は針のための複数のポートを有する。ポートは、隆起部として、好ましくはドーム状の隆起部として構成される。
【００３８】
例示的な実施形態に基づき、図面の図１〜図９を参照しながら、本発明の主題を以下でより詳細に説明する。
【図面の簡単な説明】
【００３９】
【図１】本発明に係るコネクタの例示的な実施形態の斜視図である。
【図２】図１に示されているコネクタの分解図である。
【図３】コネクタの側面図である。
【図４】コネクタの断面図である。
【図５】既に図示したコネクタの一部であるセプタムの上面における斜視図である。
【図６】既に図示したコネクタの一部であるセプタムの下面における斜視図である。
【図７】セプタムの上面の平面図である。
【図８】図７における線Ａ−Ａに沿った断面図である。
【図９】コネクタが設けられている医療用パッケージの概略図である。
【発明を実施するための形態】
【００４０】
図１は、本発明に係るコネクタ１の例示的な実施形態の斜視図である。コネクタ１は、下側部品２と、下側部品２の上に配置される上側部品３とを有する。下側部品２は、下端部において、医療用パッケージ２０の容器２１のための接続ピース４を備える。
【００４１】
例示的な実施形態において、接続ピース４は、円筒形ではなく船形であり、これにより、例えば、バッグとして構成される容器２１の取付けがより容易になる。接続ピース４は、バッグの縁部を形成する溶着シーム内に溶着される（これに関しては、図９を参照されたい）。接続ピース４は、好ましくは、例えば、針及び／又はスパイクによって穿孔することができないようにかなりの壁厚を有することができる。
【００４２】
上側部品３は、下側部品２の接続ピース４の上方の領域における隣接する下側部品２の外径よりも大きな外径を有する。円筒でない形状の場合、比較される２つの部品のそれぞれの最大の直径が、論点となる直径である。
【００４３】
また、上側部品３にはキャップ５が設けられており、キャップ５は、破断して取り外すことができ、キャップ５は、上側部品３の上部を形成する。キャップ５は、ここでは平坦な把持ピースとして構成されており、その断面は、円形から板状の形態に変化する。キャップ５は、所定の破断ライン１０を介して接続されており、したがって、上側部品３から容易に破断して取り外すことができる。
【００４４】
円形断面の下側領域において、キャップ５は、上側部品３の下部よりも小さな直径を有する。
【００４５】
キャップ５は、不正開封防止シールを構成する。キャップ５が破断されて取り外された後、セプタム６の上面１１（ここでは図示せず）にアクセス可能である。
【００４６】
また、破断して取り外されるキャップ５の板状部には、矢印の形状の開口部が導入される。この開口により、ここで図示されているコネクタ１は、抜取りコネクタとして特定される。
【００４７】
図２は、コネクタ１の分解図であり、コネクタ１の個々の部品を示している。コネクタ１は、下側部品２と、下側部品２の上に配置される上側部品３と、上側部品３と下側部品２との間に挿入されるセプタム６とによって形成される。
【００４８】
ここで、コネクタ１の下側部品２と上側部品３とは、形状嵌合接続部、例えばスナップ接続部によって互いに接続される。この例示的な実施形態において、下側部品２は、径方向に延在するカラー７を備え、そのカラー７の上に上側部品３が押し込まれる。したがって、セプタム６は、下側部品２と上側部品３との間の形状嵌合及び好ましくはまたクランプによって固定される。カラー７は、この場合、上側部品３の内面に形成される凹部に係合することもできるし、上側部品３の内面に配置される突起（図２には図示せず）の背後に係合することもできる。
【００４９】
代替的又は補足的な実施形態（図示せず）において、上側部品３と下側部品２とは、互いに溶着若しくは接着されるか、又は１ピースとして構成される。
【００５０】
図３は、コネクタ１の側面図であり、特に、キャップ５は、平坦な把持ピースとして構成されることを示している。
【００５１】
図４は、図３から９０度回転された、線Ｗ−Ｗに沿ったコネクタ１の断面図である。
【００５２】
下側部品２は、通路８を有し、通路８は、上側部品３から開始して接続ピース４の方向に、外径及び内径の両方が先細りになっている。
【００５３】
上端部において、通路８は、セプタム６によって閉鎖される。
【００５４】
例示的な実施形態において、セプタム６は、上側部品３と下側部品２との間に挿入される。セプタム６は、縁部から延出するＴ字形の形状嵌合要素９を有する。Ｔ字形の形状嵌合要素９の上側アームは、上側部品３の対応する溝に嵌まる。下側部品２は、上面において、軸方向に延在する周囲ウェブ１７を有する。Ｔ字形の形状嵌合要素９の下側アームは、ウェブ１７の背後に係合する。したがって、弾性セプタム６は、軸方向の力の作用によって押し出される可能性がない。
【００５５】
形状嵌合要素９の上面は、セプタム６の中央部の上面１１の下方に位置する。したがって、上側部品３の上面２２は、形状嵌合要素９を覆うように延在し、そうすることで、セプタム６の中央部の隣接する上面１１と面一に位置することができる。
【００５６】
上側部品３の上面２２とセプタム６の上面１１とは、略１つの平面上に位置し、セプタム６の上面１１は、キャップ５が破断されて取り外された後に容易にアクセス可能であり、特に、容易に払拭して清浄にすることができる。
【００５７】
例示的な実施形態において、セプタム６の中央部の下面１６は、Ｔ字形の形状嵌合要素９の下面よりも低い位置にある。
【００５８】
キャップ５は、環状の所定の破断ライン１０を介して上側部品３に接続されている。所定の破断ライン１０は、セプタム６の隣接する上面１１と面一である。また、所定の破断ライン１０は、キャップが破断されて取り外された後にアクセス可能であるセプタム６の表面１１に直接隣接する。
【００５９】
セプタム６の上面１１は、キャップ５が除去された後、完全に自由であるか又は実質的に完全に自由である。３つのポート１２ａ、１２ｂ、１２ｃ及びポート１２ａ、１２ｂ、１２ｃの間に存在する表面は、例えば、コネクタ１のハウジング部によって覆われない。
【００６０】
セプタム６の上面１１には窪みがない。したがって、キャップ５が破断されて取り外された後、セプタム６の上面１１と上側部品３の上面２２とによって構成される、比較的平滑な表面が得られる。
【００６１】
キャップ５とセプタム６との間には間隙部１９が存在し、間隙部１９は、無菌化されることが好ましい。所定の破断ライン１０には開口部が無いので、間隙部１９は、気密にシールされる。
【００６２】
この例示的な実施形態において、コネクタ１は、上側部品３を下側部品２の上に押し込むことによって組み立てられる。上側部品３を上に押し込んだ後、上側部品３の周囲ウェブ１８及び／又は上側部品３の複数のラッチホック（図面には示されていない）は、下側部品２の周囲カラー７の下に係合する。代替的又は補足的な実施形態において、下側部品２のカラー７は、上側部品３の内面に導入された窪み（図面には示されていない）に係合する。
【００６３】
図５は、セプタム６の詳細な斜視図であり、上面１１を明確に見て取ることができる。
【００６４】
セプタム６は、エラストマー材料、例えばポリイソプレンで作製される。エラストマー材料は、例えば、過酸化物によって又は硫黄架橋によって架橋させることができる。
【００６５】
この図は、縁部における周囲にわたるＴ字状の形状嵌合要素９を提示しており、それにより、形状嵌合要素９と上面１１との間には、溝１４が形成される。組み立てられた状態において、上側部品３の対応するウェブは、この溝１４内に係合する。
【００６６】
例示的な実施形態において、上面１１には３つのポート１２ａ〜１２ｃが存在する。
【００６７】
ポート１２ａ〜１２ｃは、セプタムの周囲に均一に分散されている。したがって、セプタム６の中心点と結ばれる仮想線の角度は、各場合におおよそ１２０度である。３つのポート１２ａ〜１２ｃは、三角形の隅部、好ましくは正三角形の隅部を形成する。
【００６８】
例示的な実施形態において、３つのポート１２ａ〜１２ｃは、スパイクを受けるようにそれぞれ構成されている。３つのポート１２ａ〜１２ｃは、十字形に形成されたスリット２４をそれぞれ有する。スリット２４は、スパイクのガイドとしての役割を果たす。この例示的な実施形態において、スリット２４は、セプタム６を完全に貫通しない。別の実施形態（本明細書では図示せず）において、スリット２４は、セプタム６の全高に延在する。
【００６９】
本明細書では図示されていない一実施形態において、ポートは、スリットではなく、針を受ける役割を果たすことができることも可能である。
【００７０】
ポート１２ａ〜１２ｃは、この例示的な実施形態において、ドーム状の隆起部として構成される。ポート１２ａ〜１２ｃのスリット２４は、それぞれのポート１２ａ〜１２ｃによって形成されるドームの平坦化領域において交差する（これに関しては、図４に示されている断面図も参照されたい）。
【００７１】
セプタム６の上面１１におけるスパイクのための穿刺領域は、３つのポート１２ａ〜１２ｃにおける交差スリット２４によって画定され、環状の周囲ウェブ１３によってそれぞれ包囲される。この例示的な実施形態において、ウェブ１３は、同時に、ドームの平坦化領域の境界線を形成する。環状の周囲ウェブ１３は、複数の場所においてそれぞれ中断される。スリット２４は、この中断部を通って、それぞれのポート１２ａ〜１２ｃによって形成されるドームの下方傾斜領域２６内まで延在する。
【００７２】
本明細書に示されている幾何学的構成により、セプタム６の穿刺部の良好なアクセス性及び操作性がもたらされる。
【００７３】
ポート１２ａ〜１２ｃを収容するために、セプタム６のアクセス可能な表面１１は、１０ｍｍ〜２０ｍｍの直径、好ましくは１２ｍｍ〜１６ｍｍの直径を有する。
【００７４】
セプタムの全高は、５ｍｍ〜２０ｍｍであることが好ましい。
【００７５】
環状のウェブ１３によって境界を定められるドームの平坦化領域の直径は、２ｍｍ〜５ｍｍであることが好ましい。
【００７６】
図６は、セプタム６の下面を明確に見て取ることができる斜視図である。
【００７７】
それぞれのスパイク及び／又は針のためにそれぞれ設けられる筒状ガイド１５ａ〜１５ｃが、ポート１２ａ〜１２ｃの下に延在する。
【００７８】
筒状ガイド１５ａ〜１５ｃは、縁部において、セプタム６の下面１６を構成するセプタム６の環状部２７に交わる。組み立てられた状態において、この環状領域２７は、下側部品２の通路８の内壁に当接する。
【００７９】
筒状ガイド１５ａ〜１５ｃは、１ｍｍ〜６ｍｍの深さを有することが好ましい。
【００８０】
筒状ガイド１５ａ〜１５ｃの間の間隙部２８には材料が充填されず、セプタム６は、間隙部２８の領域において、ポート１２ａ〜１２ｃの領域における厚さと略同じ厚さを有するようになっている。
【００８１】
間隙部２８の領域にはポートが配置されないので、本明細書では図示されていない一実施形態において、下面１６と同様の距離まで間隙部２８に材料を充填することもできる。
【００８２】
ポート１２ａ〜１２ｃの領域において、セプタム６の厚さは、１ｍｍ〜５ｍｍであることが好ましい。
【００８３】
図７は、３つのポート１２ａ〜１２ｃを有するセプタム６の上面の平面図である。
【００８４】
図８は、図７の線Ａ−Ａに沿ったセプタム６の断面図である。
【００８５】
特に、ドーム状ポート１２ａ〜１２ｃがセプタム６の隣接面１１からどのように突出しているかが見て取れる。
【００８６】
Ｔ字形の形状嵌合要素９の上面２３は、上面１１によって形成されるセプタム６のアクセス可能な表面よりも深くに位置する。
【００８７】
Ｔ字形の形状嵌合要素９の下面２５は、環状部２７の下面よりも高い位置にあり、環状部２７の下面は、セプタム６の下面１６を構成する。環状部２７の下面は、環状ガイド１５ａの下面と面一に交わる。
【００８８】
図９は、上述したコネクタ１が医療用パッケージ２０の容器２１にどのように接続されているかを概略的に示している。
【００８９】
この例示的な実施形態において、コネクタ１の接続ピース４は、バッグとして構成される容器２１に溶着される。接続ピース４は、容器２１の溶着シーム内に溶着される。
【００９０】
コネクタ１により、液体を容器２１から抜き取り、また容器２１に送り込むことができる。容器２１は、コネクタ１により、特に上側部品３がまだ嵌合されていない状態で、充填することもできる。
【００９１】
図示の例において、容器２１は、単一のコネクタ１のみを有する。コネクタ１は、スパイクによる抜取りのためだけに使用されることが好ましい。コネクタ１は、この場合、抜取りコネクタである。
【００９２】
本発明により、操作が簡単かつ柔軟な使用が可能なコネクタを使用可能にすることができる。
【符号の説明】
【００９３】
１  コネクタ
２  下側部品
３  上側部品
４  接続ピース
５  キャップ（破断して取り外すことができる）
６  セプタム
７  カラー
８  通路
９  形状嵌合要素
１０  所定の破断ライン
１１  セプタムの上面
１２ａ〜１２ｃ  ポート
１３  ウェブ
１４  溝
１５ａ〜１５ｃ  筒状ガイド
１６  筒状ガイドの下面及び／又はセプタムの下面
１７  ウェブ
１８  ウェブ
１９  間隙部
２０  パッケージ
２１  容器
２１−１  容器の溶着シーム
２２  上面
２３  （形状嵌合要素９の）上面
２４  スリット
２５  （形状嵌合要素９の）下面
２６  下方傾斜領域
２７  環状部
２８  間隙部
【図１】
2019530526.tif 000003
【図２】
2019530526.tif 000004
【図３】
2019530526.tif 000005
【図４】
2019530526.tif 000006
【図５】
2019530526.tif 000007
【図６】
2019530526.tif 000008
【図７】
2019530526.tif 000009
【図８】
2019530526.tif 000010
【図９】
2019530526.tif 000011
【国際調査報告】
2019530526.tif 000012
2019530526.tif 000013
2019530526.tif 000014
2019530526.tif 000015
2019530526.tif 000016
2019530526.tif 000017